(57)【特許請求の範囲】
【請求項１】
自電話番号と自ＩＰアドレスとを有し、一般電話網及びインターネット網に接続された音声端末の双方向リアルタイム通信の相互接続を行うゲートウェイと、
自ＩＰアドレスを有し、電話機能を持った複数のインターネット電話機と、
自ＩＰアドレスを有し、前記インターネット電話機のＩＰアドレスと加入者ＩＤ番号との対応を管理する加入者ＩＰアドレス管理テーブルを持ったゲートウェイ・サーバと、
から構成される論理的なＩＰネットワークが、インターネット上に複数存在するインターネット電話システムにおいて、
前記ＩＰネットワーク上のインターネット電話機から、前記一般電話網に接続された一般電話機に発呼する場合に、
（ａ）前記インターネット電話機は、同じＩＰネットワーク上のゲートウェイに対して、前記インターネット電話機より入力された前記一般電話機の電話番号への通信開始要求を送出するステップと、
（ｂ）前記通信開始要求を受けたゲートウェイは、前記入力された電話番号が自電話番号でないことを判断し、同じＩＰネットワーク上のゲートウェイ・サーバに対して、前記入力された電話番号とともに、ゲートウェイ・サーバＩＰアドレス検索要求を送出するステップと、
（ｃ）前記電話番号及びゲートウェイ・サーバＩＰアドレス検索要求を受けたゲートウェイ・サーバは、前記複数のＩＰネットワークのうち自ＩＰネットワーク以外のＩＰネットワーク上のゲートウェイの電話番号と、そのゲートウェイが含まれるＩＰネットワーク上のゲートウェイ・サーバのＩＰアドレスとの対応を管理するゲートウェイ・サーバＩＰアドレス管理テーブルを用いて、前記電話番号に対応するゲートウェイの電話番号を検索し、前記電話番号がゲートウェイの電話番号ではなく、一般電話網に接続された一般電話機の電話番号であることを判断し、これを前記ゲートウェイに通知するステップと、
（ｄ）前記通知を受けたゲートウェイは、前記一般電話網を介して前記一般電話機への発呼を行い、該一般電話機において応答があれば、直ちに該一般電話機との間で通話を確立するステップと、
（ｅ）前記一般電話機との間で通話を確立したゲートウェイは、前記インターネット電話機に対して、通話確立通知を送出することにより、前記インターネット電話機と前記一般電話機との間の呼を確立させるステップと、を有することを特徴とする通話確立方法。
【請求項２】
自電話番号と自ＩＰアドレスとを有し、一般電話網及びインターネット網に接続された音声端末の双方向リアルタイム通信の相互接続を行うゲートウェイと、
自ＩＰアドレスを有し、電話機能を持った複数のインターネット電話機と、
自ＩＰアドレスを有し、前記インターネット電話機のＩＰアドレスと加入者ＩＤ番号との対応を管理する加入者ＩＰアドレス管理テーブルを持ったゲートウェイ・サーバと、
から構成される論理的なＩＰネットワークが、インターネット上に複数存在するインターネット電話システムにおいて、
前記ＩＰネットワーク上の第１のインターネット電話機から、他のＩＰネットワーク上の第２のインターネット電話機に発呼する場合に、
（ａ）前記第１のインターネット電話機は、該第１のインターネット電話機が属するＩＰネットワーク上のゲートウェイに対して、前記第１のインターネット電話機より入力された前記第２のインターネット電話機の電話番号のうち該第２のインターネット電話機の属するＩＰネットワーク上のゲートウェイの電話番号への通信開始要求を送出するステップと、
（ｂ）前記通信開始要求を受けたゲートウェイは、前記入力された電話番号が自電話番号でないことを判断して、この電話番号の示す他のＩＰネットワーク上のゲートウェイに対応付けられたゲートウェイ・サーバのＩＰアドレスを検索するために、同じＩＰネットワーク上のゲートウェイ・サーバに対して、前記電話番号とともにゲートウェイ・サーバＩＰアドレス検索要求を送出するステップと、
（ｃ）前記電話番号及びゲートウェイ・サーバＩＰアドレス検索要求を受けたゲートウェイ・サーバは、前記複数のＩＰネットワークのうち自ＩＰネットワーク以外のＩＰネットワーク上の複数のゲートウェイの電話番号と、そのゲートウェイが含まれるＩＰネットワーク上のゲートウェイ・サーバのＩＰアドレスとの対応を管理したゲートウェイ・サーバ管理テーブルを検索して、前記電話番号に対応するゲートウェイ・サーバのＩＰアドレスを入手し、そのＩＰアドレスを前記ゲートウェイに通知するステップと、
（ｄ）前記ＩＰアドレスの通知を受けたゲートウェイは、前記第１のインターネット電話機に対して、通話確立通知を送出することにより、前記第１のインターネット電話機との間の通話を確立するステップと、
（ｅ）前記第１のインターネット電話機との間の通話を確立したゲートウェイは、前記第１のインターネット電話機に対して、前記第２のインターネット電話機の残りの電話番号、つまり前記第２のインターネット電話機の加入者ＩＤ番号を入力するよう通知するステップと、
（ｆ）前記通知を受けた第１のインターネット電話機より入力された前記第２のインターネット電話機の加入者ＩＤ番号を受けたゲートウェイは、前記検索された他ＩＰネットワーク上のゲートウェイ・サーバに対して、前記加入者ＩＤ番号に対応するＩＰアドレスを検索するための加入者ＩＰアドレス要求を、前記加入者ＩＤ番号とともに送出するステップと、
（ｇ）前記加入者ＩＰアドレス要求及び加入者ＩＤ番号を受けた他ＩＰネットワーク上のゲートウェイ・サーバは、自分の加入者ＩＰアドレス管理テーブルを検索して、前記加入者ＩＤ番号に対応するＩＰアドレスを入手し、そのＩＰアドレスを前記ゲートウェイに通知するステップと、
（ｈ）前記ＩＰアドレスの通知を受けたゲートウェイは、前記第１のインターネット電話機に対して、通話先のインターネット電話機を切り替えるための通話先切り替え要求を、前記入手した第２のインターネット電話機のＩＰアドレスとともに送出するステップと、
（ｉ）前記通話先切り替え要求及びＩＰアドレスを受けた第１のインターネット電話機は、直ちに前記第２のインターネット電話機に対して、通信開始要求を送出するステップと、
（ｊ）前記第２のインターネット電話機は、これに応答して、前記第１のインターネット電話機に対して、通話確立通知を送出することにより、前記第１のインターネット電話機と前記第２のインターネット電話機との間の呼を確立させるステップと、を有することを特徴とする通話確立方法。
【発明の詳細な説明】
【０００１】
【発明の属する技術分野】
本発明は、インタネット電話機（ＩＰ電話機）が、ゲートウェイを介して一般電話網との間で相互接続されるインタネット電話システムの通信確立方法に関するものである。
【０００２】
【従来の技術】
近年、インタネット上で音声データ・パケットをリアルタイムでやり取りするインタネット電話機（ＩＰ電話機）が提案されており、その中でも実際の使用に耐え得るだけの音声品質を持って運用されている形態は、インタネット上の特定のＩＰネットワークにおける内線電話としてのオフィスでの使用、一般電話網における長距離通話の回線の途中をインタネットを使ってバイパスさせるための使用等である。
【０００３】
尚、呼接続手順、音声コーデック、一般電話との相互接続等は、ＩＴＵ標準のＨ．３２３等の技術により実現されている。
【０００４】
インタネット上に接続され、端末固有のＩＰアドレスをもったＩＰ電話機を運用する場合においては、一般電話機同士の通話と異なり、通話形態によって３通りの呼接続手順を考慮する必要がある。
【０００５】
その第１はＩＰ電話機から一般電話機への発呼、第２は一般電話機からＩＰ電話機への発呼、そして第３にＩＰ電話機から他のＩＰ電話機への発呼であり、各々の接続形態の概念について、図１３とともに以下説明する。
【０００６】
図１３において、インタネット（１４１）上には、特定エリアのＩＰネットワークＡ（１４２）、Ｂ（１４８）、Ｃ（１５４）があり、各ＩＰネットワークＡ（１４２）、Ｂ（１４８）、Ｃ（１５４）には、ＩＰ電話機が複数接続されている。それらのＩＰ電話機は、前記Ｈ．３２３等のゲートウェイを介して一般電話網（１４０）に接続されている。
【０００７】
まず、第１の接続形態は、例えば図１３における矢印（１６０）で示すように、ＩＰネットワークと一般電話網との間に接続され、アナログ音声信号と音声パケット信号との変換を行うゲートウェイが、希望相手先電話番号パケットを受けて、その通話先の一般電話機に接続処理を行い、通話を中継する方法である。
【０００８】
ここで、ＩＰネットワークＡ（１４２）上のＩＰ電話機１（１４４）がゲートウェイＡ（１４３）を介して一般電話機１（１３６）と通話する場合の呼接続手順は、図１４に示すとおりであり、ＩＰ電話機１（１４４）から通常の１０桁の電話番号“０１１−５５５−５５５５”をダイヤル入力すれば良い。
【０００９】
また、第２の接続形態は、例えば図１３における矢印（１６１）で示すように、ゲートウェイが同様にアナログ音声信号と音声パケット信号との変換を行い、希望通話先指定の方法として、一般電話機からダイヤル入力によりＩＰアドレスを指定し、希望のＩＰ電話機に接続処理を行い、通話を中継する方法である。
【００１０】
ここで、一般電話機２（１３７）がゲートウェイＢ（１４９）を介してＩＰ電話機５（１５０）と通話する場合の呼接続手順は、図１５に示すとおりであり、一般電話機２（１３７）から一旦通常の１０桁の電話番号“０４３−ｂｂｂ−ｂｂｂｂ”をダイヤル入力して、ゲートウェイＢ（１４９）との通信を確立した後、ＩＰ電話機５（１５０）のＩＰアドレス“Ｂ５”をダイヤル入力することとなる。
【００１１】
また、例えば特開平１１−２５２１８０号公報には、ＩＰゲートウェイから提供される音声ガイダンスに従って、一般電話機から入力された相手先ＩＰ電話機の電話番号（５桁〜８桁）を用いて、相手先ＩＰ電話機のＩＰアドレスを取得する方法が提案されている。
【００１２】
さらに、第３の接続形態は、例えば図１３における矢印（１６２）、（１６３）で示すように、ＩＰ電話機からダイレクトに希望通話先ＩＰ電話機のＩＰアドレスを入力することにより相手先指定し、音声パケットをやり取りする方法である。
【００１３】
このとき、希望相手先指定方法として、例えば特開平１０−２９０２６４号公報に記載されているような、桁数の多いＩＰアドレスの代りに、人間に覚えやすい程度の桁数の端末識別番号を使用する方法を用いることができる。
【００１４】
ここで、ＩＰ電話機１２（１５９）から、同一ＩＰネットワークＣ（１５４）上の他ＩＰ電話機１０（１５７）へ発呼する場合の呼接続手順は、図１６に示すとおりであり、まず相手先のＩＰ電話機のＩＰアドレスを知るために、インタネット上のＩＰ電話機のＩＰアドレスと電話番号に相当する端末識別番号との対応テーブルを持った電話番号サーバ（１６４）に対して、端末識別番号“１０１０”を示す問い合わせパケットを送出する。
【００１５】
そして、電話番号サーバ（１６４）からの該当ＩＰアドレス“Ｃ１０”が示された返答パケットを受信して、そのＩＰアドレス“Ｃ１０”をもって相手先のＩＰ電話機１０（１５７）に接続し、通話を行う。
【００１６】
ＩＰネットワークＢ（１４８）上のＩＰ電話機７（１５２）から、他ＩＰネットワークＣ（１５４）上のＩＰ電話機９（１５６）へ発呼する場合も同様に、端末識別番号を用いて、電話番号サーバ（１６４）に相手先のＩＰ電話機９（１５６）のＩＰアドレスを問い合わせ、当該ＩＰアドレス“Ｂ５”を取得し、ＩＰ電話機９（１５６）に接続処理を行う。
【００１７】
【発明が解決しようとする課題】
前述のとおり、ＩＰ電話システムを運用する場合、第１の接続形態においては通常の電話番号のみのダイヤル入力、第２の接続形態においては通常の電話番号に加えてＩＰアドレス（もしくは５桁〜８桁程度の受信者電話番号）のダイヤル入力、第３の接続形態においてはＩＰアドレス（もしくは電話番号的な端末識別番号）のダイヤル入力が必要であり、３通りの接続形態により希望通話先の指定方法が異なる。
【００１８】
つまり、これら全ての接続形態において、全ての電話機（一般電話機、ＩＰ電話機）が、一般電話機のように１０桁（国内：市外通話の場合）の電話番号だけで識別され、その電話番号をダイヤルするだけで、通話することができるというように、統一して運用することができないという問題がある。
【００１９】
すなわち、ＩＰ電話機にとって、そのＩＰ電話機に対し発呼するユーザーは、それがＩＰ電話機であるか一般電話機であるかを意識しなければならず、しかも発呼する側がＩＰ電話機からも一般電話機からも同一のダイヤル動作だけで通話することはできない。
【００２０】
また、ＩＰ電話機からの発呼も希望相手先が他のＩＰ電話機であるか一般電話機であるかを意識する必要があり、同じダイヤル方法（同じ番号）で通話をすることはできない。
【００２１】
尚、前述した特開平１０−２９０２６４号公報に記載のインターネット電話端末識別処理方法においては、ＩＰアドレスと電話番号のような端末識別番号との対応を管理するテーブルを参照することにより、電話番号的な人間に覚えやすい数字を用いて、希望するＩＰ電話機を特定することが可能であるが、それは一般電話機からの発呼には対応できないという問題がある。
【００２２】
また、前述した特開平１１−２５２１８０号公報に記載されているような、一般電話機から指定する５桁〜８桁の番号を用いて、ＩＰ電話機に接続する方法においても、実際にダイヤルする番号、つまり、ゲートウェイの電話番号＋識別番号（５桁〜８桁）は、インタネット上の他ＩＰ電話機からの発呼にはそのまま使用することができない。
【００２３】
この場合、識別番号（５桁〜８桁）のダイヤル入力が必要となり、該相手先ＩＰ電話機がインタネット上の他のＩＰネットワーク上にあったとしても、それがＩＰ電話機であるということを意識し、さらに、前記他のＩＰネットワーク上のＩＰアドレスと識別番号（５桁〜８桁）の対応テーブルを持っているサーバーのＩＰアドレスを知っていなければならない。
【００２４】
以上のように、インタネットに接続された複数のＩＰ電話機が一般電話網と相互接続されたとしても、その複数のＩＰ電話機が一般電話機と同じような人間に覚えやすい電話番号体系を使用して識別され、ＩＰ電話機からも一般電話機からも、相手先が一般電話機かＩＰ電話機かを意識せずに、同一の番号／入力方法を用いて発呼することができないという問題を有している。
【００２５】
本発明は、上記のような問題点に鑑みてなされたものであり、ＩＰ電話機からも一般電話機からも、相手先が一般電話機かＩＰ電話機かを意識せずに、同一の番号／入力方法を用いて発呼することができるインターネット電話システムの通信確立方法を提供することを目的とする。
【００２７】
【課題を解決するための手段】
本願の第１の発明は、自電話番号と自ＩＰアドレスとを有し、一般電話網及びインターネット網に接続された音声端末の双方向リアルタイム通信の相互接続を行うゲートウェイと、自ＩＰアドレスを有し、電話機能を持った複数のインターネット電話機と、自ＩＰアドレスを有し、前記インターネット電話機のＩＰアドレスと加入者ＩＤ番号との対応を管理する加入者ＩＰアドレス管理テーブルを持ったゲートウェイ・サーバと、から構成される論理的なＩＰネットワークが、インターネット上に複数存在するインターネット電話システムにおいて、
前記ＩＰネットワーク上のインターネット電話機から、前記一般電話網に接続された一般電話機に発呼する場合に、（ａ）前記インターネット電話機は、同じＩＰネットワーク上のゲートウェイに対して、前記インターネット電話機より入力された前記一般電話機の電話番号への通信開始要求を送出するステップと、（ｂ）前記通信開始要求を受けたゲートウェイは、前記入力された電話番号が自電話番号でないことを判断し、同じＩＰネットワーク上のゲートウェイ・サーバに対して、前記入力された電話番号とともに、ゲートウェイ・サーバＩＰアドレス検索要求を送出するステップと、（ｃ）前記電話番号及びゲートウェイ・サーバＩＰアドレス検索要求を受けたゲートウェイ・サーバは、前記複数のＩＰネットワークのうち自ＩＰネットワーク以外のＩＰネットワーク上のゲートウェイの電話番号と、そのゲートウェイが含まれるＩＰネットワーク上のゲートウェイ・サーバのＩＰアドレスとの対応を管理するゲートウェイ・サーバＩＰアドレス管理テーブルを用いて、前記電話番号に対応するゲートウェイの電話番号を検索し、前記電話番号がゲートウェイの電話番号ではなく、一般電話網に接続された一般電話機の電話番号であることを判断し、これを前記ゲートウェイに通知するステップと、（ｄ）前記通知を受けたゲートウェイは、前記一般電話網を介して前記一般電話機への発呼を行い、該一般電話機において応答があれば、直ちに該一般電話機との間で通話を確立するステップと、（ｅ）前記一般電話機との間で通話を確立したゲートウェイは、前記インターネット電話機に対して、通話確立通知を送出することにより、前記インターネット電話機と前記一般電話機との間の呼を確立させるステップと、を有することを特徴とする。
【００３１】
本願の第２の発明は、自電話番号と自ＩＰアドレスとを有し、一般電話網及びインターネット網に接続された音声端末の双方向リアルタイム通信の相互接続を行うゲートウェイと、自ＩＰアドレスを有し、電話機能を持った複数のインターネット電話機と、自ＩＰアドレスを有し、前記インターネット電話機のＩＰアドレスと加入者ＩＤ番号との対応を管理する加入者ＩＰアドレス管理テーブルを持ったゲートウェイ・サーバと、から構成される論理的なＩＰネットワークが、インターネット上に複数存在するインターネット電話システムにおいて、
前記ＩＰネットワーク上の第１のインターネット電話機から、他のＩＰネットワーク上の第２のインターネット電話機に発呼する場合に、（ａ）前記第１のインターネット電話機は、該第１のインターネット電話機が属するＩＰネットワーク上のゲートウェイに対して、前記第１のインターネット電話機より入力された前記第２のインターネット電話機の電話番号のうち該第２のインターネット電話機の属するＩＰネットワーク上のゲートウェイの電話番号への通信開始要求を送出するステップと、（ｂ）前記通信開始要求を受けたゲートウェイは、前記入力された電話番号が自電話番号でないことを判断して、この電話番号の示す他のＩＰネットワーク上のゲートウェイに対応付けられたゲートウェイ・サーバのＩＰアドレスを検索するために、同じＩＰネットワーク上のゲートウェイ・サーバに対して、前記電話番号とともにゲートウェイ・サーバＩＰアドレス検索要求を送出するステップと、（ｃ）前記電話番号及びゲートウェイ・サーバＩＰアドレス検索要求を受けたゲートウェイ・サーバは、前記複数のＩＰネットワークのうち自ＩＰネットワーク以外のＩＰネットワーク上の複数のゲートウェイの電話番号と、そのゲートウェイが含まれるＩＰネットワーク上のゲートウェイ・サーバのＩＰアドレスとの対応を管理したゲートウェイ・サーバ管理テーブルを検索して、前記電話番号に対応するゲートウェイ・サーバのＩＰアドレスを入手し、そのＩＰアドレスを前記ゲートウェイに通知するステップと、（ｄ）前記ＩＰアドレスの通知を受けたゲートウェイは、前記第１のインターネット電話機に対して、通話確立通知を送出することにより、前記第１のインターネット電話機との間の通話を確立するステップと、（ｅ）前記第１のインターネット電話機との間の通話を確立したゲートウェイは、前記第１のインターネット電話機に対して、前記第２のインターネット電話機の残りの電話番号、つまり前記第２のインターネット電話機の加入者ＩＤ番号を入力するよう通知するステップと、（ｆ）前記通知を受けた第１のインターネット電話機より入力された前記第２のインターネット電話機の加入者ＩＤ番号を受けたゲートウェイは、前記検索された他ＩＰネットワーク上のゲートウェイ・サーバに対して、前記加入者ＩＤ番号に対応するＩＰアドレスを検索するための加入者ＩＰアドレス要求を、前記加入者ＩＤ番号とともに送出するステップと、（ｇ）前記加入者ＩＰアドレス要求及び加入者ＩＤ番号を受けた他ＩＰネットワーク上のゲートウェイ・サーバは、自分の加入者ＩＰアドレス管理テーブルを検索して、前記加入者ＩＤ番号に対応するＩＰアドレスを入手し、そのＩＰアドレスを前記ゲートウェイに通知するステップと、（ｈ）前記ＩＰアドレスの通知を受けたゲートウェイは、前記第１のインターネット電話機に対して、通話先のインターネット電話機を切り替えるための通話先切り替え要求を、前記入手した第２のインターネット電話機のＩＰアドレスとともに送出するステップと、（ｉ）前記通話先切り替え要求及びＩＰアドレスを受けた第１のインターネット電話機は、直ちに前記第２のインターネット電話機に対して、通信開始要求を送出するステップと、（ｊ）前記第２のインターネット電話機は、これに応答して、前記第１のインターネット電話機に対して、通話確立通知を送出することにより、前記第１のインターネット電話機と前記第２のインターネット電話機との間の呼を確立させるステップと、を有することを特徴とする。
【００３２】
【発明の実施の形態】
以下、本発明の一実施形態について、図面を参照して詳細に説明する。尚、ＩＰアドレスとしての英字／英字列、Ａ、Ｂ、Ｃ、ＡＡ、ＢＢ、ＣＣ、Ａ１、Ａ２、Ａ３、Ａ４、Ｂ５、Ｂ６、Ｂ７、Ｂ８、Ｃ９、Ｃ１０、Ｃ１１、Ｃ１２は夫々ある唯一特定の値で、例えば１２３．４５６．７８９．１０１のような値である。また、英字ａ、ｂ、ｃは任意の数字を表している。
【００３３】
図１は本実施形態のインターネット電話システムの概略構成を示す概念図である。図１において、インタネット（６）上には特定のＩＰネットワークＡ（７）、Ｂ（１４）、Ｃ（２１）、…が存在している。
【００３４】
ＩＰネットワークＡ（７）には、ＩＰアドレス“Ａ１”を有するＩＰ電話機１（１０）と、ＩＰアドレス“Ａ２”を有するＩＰ電話機２（１１）と、ＩＰアドレス“Ａ３”を有するＩＰ電話機３（１２）と、ＩＰアドレス“Ａ４”を有するＩＰ電話機４（１３）とが含まれている。
【００３５】
また、それらのＩＰ電話機１（１０）〜３（１２）を識別するための、ＩＰアドレスとは違う番号体系を持った５桁の加入者ＩＤ番号と、それに対応するＩＰ電話機１（１０）〜３（１２）のＩＰアドレス“Ａ１”〜“Ａ４”の対応を管理する加入者ＩＰアドレス管理テーブルを持ち、自ＩＰアドレスが“ＡＡ”であるゲートウェイ・サーバＡ（９）が含まれている。
【００３６】
つまり、ゲートウェイ・サーバＡ（９）の加入者ＩＰアドレス管理テーブルにおいては、図２（ａ）に示すように、加入者ＩＤ番号“１１１１１”が加入者ＩＰアドレス“Ａ１”に、加入者ＩＤ番号“２２２２２”が加入者ＩＰアドレス“Ａ２”に、加入者ＩＤ番号“３３３３３”が加入者ＩＰアドレス“Ａ３”に、加入者ＩＤ番号“４４４４４”が加入者ＩＰアドレス“Ａ４”に、それぞれ対応付けられて管理されている。
【００３７】
さらに、ＩＰネットワークＡ（７）には、自電話番号“０４５−ａａａ−ａａａａ”と、自ＩＰアドレス“Ａ”とを有し、一般電話網とインタネット網に接続された音声端末との呼接続／切断処理を含めた音声の双方向リアルタイム通信の相互接続を行うゲートウェイＡ（８）が含まれている。
【００３８】
すなわち、ＩＰネットワークＡ（７）は、加入者ＩＰアドレス管理テーブルにより管理される複数のＩＰ電話機１（１０）〜３（１２）と、ゲートウェイ（８）、ゲートウェイ・サーバ（９）とからなる論理的な特定ＩＰネットワークである。
【００３９】
尚、それらは必ずしも同じネットワーク・セグメントにある必要はなく、各ＩＰ電話機１（１０）〜３（１２）に対して、ゲートウェイ（８）、ゲートウェイ・サーバ（９）がＷＡＮを介して遠方にある場合、又ダイアルアップ接続による一時的な接続によって構成されるネットワークも考慮される。
【００４０】
ＩＰネットワークＢ（１４）においても、それを構成する夫々のノードの位置付けは、前述のＩＰネットワークＡ（７）と同様であり、ＩＰアドレス“Ｂ５”を有するＩＰ電話機５（１７）と、ＩＰアドレス“Ｂ６”を有するＩＰ電話機６（１８）と、ＩＰアドレス“Ｂ７”を有するＩＰ電話機７（１９）と、ＩＰアドレス“Ｂ８”を有するＩＰ電話機８（２０）とが含まれている。
【００４１】
また、それらのＩＰ電話機５（１７）〜８（２０）を識別するための、ＩＰアドレスとは違う番号体系を持った５桁の加入者ＩＤ番号と、それに対応するＩＰ電話機５（１７）〜８（２０）のＩＰアドレス“Ｂ５”〜“Ｂ８”の対応を管理する加入者ＩＰアドレス管理テーブルを持ち、自ＩＰアドレスが“ＢＢ”であるゲートウェイ・サーバＢ（１６）が含まれている。
【００４２】
つまり、ゲートウェイ・サーバＢ（１６）の加入者ＩＰアドレス管理テーブルにおいては、図２（ｂ）に示すように、加入者ＩＤ番号“１１１１１”が加入者ＩＰアドレス“Ｂ５”に、加入者ＩＤ番号“２２２２２”が加入者ＩＰアドレス“Ｂ６”に、加入者ＩＤ番号“３３３３３”が加入者ＩＰアドレス“Ｂ７”に、加入者ＩＤ番号“４４４４４”が加入者ＩＰアドレス“Ｂ８”に、それぞれ対応付けられて管理されている。
【００４３】
さらに、ＩＰネットワークＢ（１４）には、自電話番号“０４３−ｂｂｂ−ｂｂｂｂ”と、自ＩＰアドレス“Ｂ”とを有し、一般電話網とインタネット網に接続された音声端末との呼接続／切断処理を含めた音声の双方向リアルタイム通信の相互接続を行うゲートウェイＢ（１５）が含まれている。
【００４４】
同様に、ＩＰネットワークＣ（２１）にも、ＩＰアドレス“Ｃ９”を有するＩＰ電話機９（２４）と、ＩＰアドレス“Ｃ１０”を有するＩＰ電話機１０（２５）と、ＩＰアドレス“Ｃ１１”を有するＩＰ電話機１１（２６）と、ＩＰアドレス“Ｃ１２”を有するＩＰ電話機１２（２７）とが含まれている。
【００４５】
また、それらのＩＰ電話機９（２４）〜１２（２７）を識別するための、ＩＰアドレスとは違う番号体系を持った５桁の加入者ＩＤ番号と、それに対応するＩＰ電話機９（２４）〜１２（２７）のＩＰアドレス“Ｃ９”〜“Ｃ１２”の対応を管理する加入者ＩＰアドレス管理テーブルを持ち、自ＩＰアドレスが“ＣＣ”であるゲートウェイ・サーバＣ（２３）が含まれている。
【００４６】
つまり、ゲートウェイ・サーバＣ（２３）の加入者ＩＰアドレス管理テーブルにおいては、図２（ｃ）に示すように、加入者ＩＤ番号“１１１１１”が加入者ＩＰアドレス“Ｃ９”に、加入者ＩＤ番号“２２２２２”が加入者ＩＰアドレス“Ｃ１０”に、加入者ＩＤ番号“３３３３３”が加入者ＩＰアドレス“Ｃ１１”に、加入者ＩＤ番号“４４４４４”が加入者ＩＰアドレス“Ｃ１２”に対応付けられて管理されている。
【００４７】
さらに、ＩＰネットワークＣ（２１）には、自電話番号“０４４−ｃｃｃ−ｃｃｃｃ”と、自ＩＰアドレス“Ｃ”とを有し、一般電話網とインタネット網に接続された音声端末との呼接続／切断処理を含めた音声の双方向リアルタイム通信の相互接続を行うゲートウェイＣ（２２）が含まれている。
【００４８】
ここで、前記ゲートウェイ・サーバＡ（９）は、加入者ＩＰアドレス管理テーブルの他に、他のＩＰネットワークＢ（１４）、Ｃ（２１）上のゲートウェイＢ（１５）、Ｃ（２２）の電話番号と、そのネットワーク上のゲートウェイ・サーバＢ（１６）、Ｃ（２３）のＩＰアドレスとの対応を管理するゲートウェイサーバＩＰアドレス管理テーブルを持っている。
【００４９】
つまり、ゲートウェイ・サーバＡ（９）のゲートウェイサーバＩＰアドレス管理テーブルにおいては、図３（ａ）に示すように、ゲートウェイＢ（１５）の電話番号“０４３−ｂｂｂ−ｂｂｂｂ”がゲートウェイ・サーバＢ（１６）のＩＰアドレス“ＢＢ”に、ゲートウェイＣ（２２）の電話番号“０４４−ｃｃｃ−ｃｃｃｃ”がゲートウェイ・サーバＣ（２３）のＩＰアドレス“ＣＣ”に対応付けられて管理されている。
【００５０】
同様に、前記ゲートウェイ・サーバＢ（１６）は、加入者ＩＰアドレス管理テーブルの他に、他のＩＰネットワークＡ（７）、Ｃ（２１）上のゲートウェイＡ（８）、Ｃ（２２）の電話番号と、そのネットワーク上のゲートウェイ・サーバＡ（９）、Ｃ（２３）のＩＰアドレスとの対応を管理する管理するゲートウェイサーバＩＰアドレス管理テーブルを持っている。
【００５１】
つまり、ゲートウェイ・サーバＢ（１６）のゲートウェイサーバＩＰアドレス管理テーブルは、図３（ｂ）に示すように、ゲートウェイＡ（８）の電話番号“０４５−ａａａ−ａａａａ”がゲートウェイ・サーバＡ（７）のＩＰアドレス“ＡＡ”に、ゲートウェイＣ（２２）の電話番号“０４４−ｃｃｃ−ｃｃｃｃ”がゲートウェイ・サーバＣ（２３）のＩＰアドレス“ＣＣ”に対応付けられて管理されている。
【００５２】
さらに、前記ゲートウェイ・サーバＣ（２３）も同様に、加入者ＩＰアドレス管理テーブルの他に、他のＩＰネットワークＡ（７）、Ｂ（１４）上のゲートウェイＡ（８）、Ｂ（１５）の電話番号と、そのネットワーク上のゲートウェイ・サーバＡ（９）、Ｂ（１６）のＩＰアドレスとの対応を管理するゲートウェイサーバＩＰアドレス管理テーブルを持っている。
【００５３】
つまり、ゲートウェイ・サーバＣ（２３）のゲートウェイサーバＩＰアドレス管理テーブルは、図３（ｃ）に示すように、ゲートウェイＡ（８）の電話番号“０４５−ａａａ−ａａａａ”がゲートウェイ・サーバＡ（９）のＩＰアドレス“ＡＡ”に、ゲートウェイＢ（１５）の電話番号“０４３−ｂｂｂ−ｂｂｂｂ”がゲートウェイ・サーバＢ（１６）のＩＰアドレス“ＢＢ”に対応付けられて管理されている。
【００５４】
図１においては、前述したような構成に加えて、さらに一般電話機との接続形態を説明するため、電話番号“０１１−５５５−５５５５”の一般電話機１（１）と、電話番号“０２２−６６６−６６６６”の一般電話機２（２）と、電話番号“０８２−７７７−７７７７”の一般電話機３（３）と、電話番号“０７８−８８８−８８８８”の一般電話機４（４）とが、一般電話網（５）に接続されている。
【００５５】
尚、一般電話網（５）は、前記各ゲートウェイＡ（８）、Ｂ（１５）、Ｃ（２２）を収容している。また、各ＩＰネットワーク上の全てのＩＰ電話機は、自分の属するＩＰネットワーク上にあるゲートウェイのＩＰアドレスを記憶しており、発呼時のオンフックとダイヤル入力動作後は、必ず自分の属するＩＰネットワーク上にあるゲートウェイに発呼手順開始のための通話開始要求パケットを送出する。
【００５６】
次に、発呼から通話に至る処理手順について、各接続形態に分けて詳細に説明する。
【００５７】
図４はＩＰネットワークＡ（３４）上のＩＰアドレス“Ａ１”、加入者ＩＤ番号“１１１１１”、つまり電話番号“０４５−ａａａ−ａａａａ−１１１１１”のＩＰ電話機１（３７）から、電話番号“０１１−５５５−５５５５”の一般電話網（３２）に収容された一般電話機１（２８）への発呼を示した概念図である。
【００５８】
この場合のシーケンスを図５に示す。図５において、まずＩＰ電話機１（３７）はオンフックし、相手先一般電話機１（２８）の電話番号“０１１−５５５−５５５５”を入力するが、この場合、ＩＰ電話機１（３７）の自電話番号が“０４５−ａａａ−ａａａａ−１１１１１”であり、市外局番が違うことから、市外局番も入力する。
【００５９】
前記入力によって、ＩＰ電話機１（３７）はゲートウェイＡ（３５）に“０１１−５５５−５５５５”への通話要求を意味する通信開始要求パケットを送出する。それを受けたゲートウェイＡ（３５）は、それが自分の電話番号ではないことを判断し、ゲートウェイ・サーバＡ（３６）に対して、該電話番号“０１１−５５５−５５５５”がどのゲートウェイで、それに対応したゲートウェイ・サーバのＩＰアドレスが何かを問い合わせるためのゲートウェイ・サーバＩＰアドレス検索要求パケットを送出する。
【００６０】
ゲートウェイ・サーバＩＰアドレス検索要求パケットを受けたゲートウェイ・サーバＡ（３６）は、該電話番号“０１１−５５５−５５５５”に対応するＩＰアドレスを、自分のゲートウェイ・サーバＩＰアドレス管理テーブル内から検索し、その結果該当するＩＰアドレスが存在しないため、該電話番号“０１１−５５５−５５５５”が一般電話網上の一般電話機の電話番号であることを意味するＩＰアドレス通知パケットにてゲートウェイＡ（３５）に通知する。
【００６１】
ＩＰアドレス通知パケットを受けたゲートウェイＡ（３５）は、一般電話網（３２）を介して一般電話機１（２８）に発呼を行い、一般電話機１（２８）がそれに応答すれば、このゲートウェイＡ（３５）と一般電話機１（２８）との間に通話が確立され、ゲートウェイＡ（３５）は直ちに前記ＩＰ電話機１（３７）に相手先一般電話機１（２８）との通話が確立されたことを意味する通話確立通知パケットを送出する。
【００６２】
ＩＰ電話機１（３７）がその通話確立通知パケットを受ければ、直ちに前記ＩＰ電話機１（２８）と前記一般電話機１（２８）との呼が確立されて通話が開始され、ＩＰネットワークＡ（３４）上の音声データパケット及び一般電話網（３２）上のアナログ音声信号は、ゲートウェイＡ（３５）にてリアルタイムで変換されることになる。
【００６３】
以上のように、ＩＰネットワーク上のＩＰ電話機から、一般電話網に接続された一般電話機へ発呼する際は、通常の一般電話の電話番号１０桁（市外局番を含めた場合）をダイヤル入力するだけで、呼を確立させることができる。
【００６４】
図６は電話番号“０２２−６６６−６６６６”の一般電話網（５９）に収容された一般電話機２（５６）から、ＩＰネットワークＢ（６８）上のＩＰアドレス“Ｂ５”、加入者ＩＤ番号“１１１１１”、つまり電話番号“０４３−ｂｂｂ−ｂｂｂｂ−１１１１１”のＩＰ電話機５（７１）への発呼を示した概念図である。
【００６５】
この場合のシーケンスを図７に示す。図７において、まず、前記一般電話機２（５６）はオンフックし、相手先ＩＰ電話機５（７１）の電話番号の内上１０桁、つまりゲートウェイＢの電話番号部分“０４３−ｂｂｂ−ｂｂｂｂ”を入力するが、この場合一般電話機２（５６）の自電話番号が“０２２−６６６−６６６６”であり、市外局番が違うことから、市外局番も入力する。
【００６６】
前記入力によって、一般電話機２（５６）はゲートウェイＢ（６９）に発呼を行う。これに対して、ゲートウェイＢ（６９）は自動的に応答し、ゲートウェイＢ（６９）と一般電話機２（５６）との間に通話が確立される。ゲートウェイＢ（６９）は一般電話機２（５６）のユーザーに対して、自動音声ガイダンス等により、相手先ＩＰ電話機５（７１）の電話番号の下５桁部分を入力するよう要求する。
【００６７】
それに従って、一般電話機２（５６）のユーザーが“１１１１１”を入力すると、ゲートウェイＢ（６９）はＤＴＭＦ信号等を受信識別する番号入力識別手段により、その“１１１１１”を判別し、ゲートウェイ・サーバＢ（７０）に対して、“１１１１１”の加入者ＩＤ番号に対応するＩＰ電話機のＩＰアドレスが何かを問い合わせる意味の加入者ＩＰアドレス検索要求パケットを送出する。
【００６８】
加入者ＩＰアドレス検索要求パケットを受けたゲートウェイ・サーバＢ（７０）は、加入者ＩＤ番号“１１１１１”に対応する加入者ＩＰアドレスを、自分の加入者ＩＰアドレス管理テーブル内から検索し、検索結果としてＩＰアドレス“Ｂ５”を得る。そして、直ちにゲートウェイＢ（６９）に対して、その検索結果を報告する意味のＩＰアドレス通知パケットを送出する。
【００６９】
ＩＰアドレス通知パケットを受けたゲートウェイＢ（６９）は、直ちにそのＩＰアドレス“Ｂ５”に基づき、相手先ＩＰ電話機５（７１）に対して、通話要求を意味する通信開始要求パケットを送出する。通信開始要求パケットを受けたＩＰ電話機５（７１）が応答すれば、ゲートウェイＢ（６９）に対して、通話が確立されたことを意味する通話確立通知パケットを送出する。
【００７０】
ゲートウェイＢ（６９）がその通話確立通知パケットを受ければ、直ちに前記一般電話機２（５６）と前記ＩＰ電話機５（７１）との呼が確立されて通話が開始され、ＩＰネットワークＢ上の音声データパケットと一般電話網上のアナログ音声信号とは、ゲートウェイＢ（６９）にてリアルタイムで変換されることになる。
【００７１】
以上のように、一般電話網に接続された一般電話機からＩＰネットワーク上のＩＰ電話機へ発呼する際は、通常の一般電話の電話番号１０桁（市外局番を含む）に５桁の数字を加えた１５桁の番号をダイヤル入力することにより、呼を確立させることができる。
【００７２】
図８はＩＰネットワークＣ（１２９）上のＩＰアドレス“Ｃ１２”、加入者ＩＤ番号“４４４４４”、つまり電話番号“０４４−ｃｃｃ−ｃｃｃｃ−４４４４４”のＩＰ電話機１２（１０８）から、ＩＰアドレス“Ｃ１０”、加入者ＩＤ番号“２２２２２”、つまり電話番号“０４４−ｃｃｃ−ｃｃｃｃ−２２２２２”のＩＰ電話機１０（１０６）への発呼を示した概念図である。
【００７３】
この場合のシーケンスを図９及び図１０に示す。図９において、まずＩＰ電話機１２（１０８）はオンフックし、相手先ＩＰ電話機の電話番号の内上１０桁、つまりゲートウェイＣの電話番号部分“０４４−ｃｃｃ−ｃｃｃｃ”を入力するが、この場合は、市外局番部分“０４４”を省略することができる。
【００７４】
前記入力によって、ＩＰ電話機１２（１０８）はゲートウェイＣ（１０３）に対して、“ｃｃｃ−ｃｃｃｃ”に対する通話を要求する意味の通信開始要求パケットを送出する。それを受けたゲートウェイＣ（１０３）は、前記受信した電話番号“ｃｃｃ−ｃｃｃｃ”が自分の電話番号であることを判断して、直ちに自動的に応答し、ＩＰ電話機１２（１０８）に通話が確立した意味の通話確立通知パケットを送出する。
【００７５】
この通話確立通知パケットをＩＰ電話機１２（１０８）が受ければ、ゲートウェイＣ（１０３）とＩＰ電話機１２（１０８）との間の通話が確立され、ゲートウェイＣ（１０３）はＩＰ電話機１２（１０８）のユーザーに対して、自動音声ガイダンス等により、相手先ＩＰ電話機１０（１０６）の電話番号の下５桁部分を入力するよう要求する。
【００７６】
それに従って、ＩＰ電話機１２（１０８）のユーザーが“２２２２２”を入力すると、ＩＰ電話機１２（１０８）はゲートウェイＣ（１０３）に対して、加入者ＩＤ番号“２２２２２”に対する通話を意味する加入者ＩＤ番号パケットを送出する。
【００７７】
加入者ＩＤ番号パケットを受けたゲートウェイＣ（１０３）は、直ちにゲートウェイ・サーバＣ（１０４）に対して、“２２２２２”の加入者ＩＤ番号に対応するＩＰ電話機のＩＰアドレスが何かを問い合わせる意味の加入者ＩＰアドレス検索要求パケットを送出する。
【００７８】
加入者ＩＰアドレス検索要求パケットを受けたゲートウェイ・サーバＣ（１０４）は、加入者ＩＤ番号“２２２２２”に対応する加入者ＩＰアドレスを、自分の加入者ＩＰアドレス管理テーブル内から検索し、検索結果としてＩＰアドレス“Ｃ１０”を得る。そして、直ちにゲートウェイＣ（１０３）に対して、その検索結果を報告する意味のＩＰアドレス通知パケットを送出する。
【００７９】
ＩＰアドレス通知パケットを受けたゲートウェイＣ（１０３）は、直ちにＩＰ電話機１２（１０８）に対して、通話先を現在のゲートウェイＣ（１０３）から入手したＩＰアドレス“Ｃ１０”の相手先ＩＰ電話機１０（１０６）に切り替えるよう指示する意味の通話先切替要求パケットを送出する。
【００８０】
通話先切替要求パケットを受けたＩＰ電話機１２（１０８）は、直ちにＩＰアドレス“Ｃ１０”に基づき、相手先ＩＰ電話機１０（１０６）に対して、通話要求を意味する通話開始要求パケットを送出し、それを受けたＩＰ電話機１０（１０６）が応答すれば、ＩＰ電話機１２（１０８）に対して通話が確立されたことを意味する通話確立通知パケットを送出する。
【００８１】
ＩＰ電話機１２（１０８）がその通話確立通知パケットを受ければ、直ちにＩＰ電話機１０（１０６）との通話が開始され、ＩＰネットワークＣ上で音声データパケットは、前記ＩＰ電話機１２（１０８）と前記ＩＰ電話機１０（１０６）との間で直接やり取りされる。
【００８２】
以上のように、ＩＰネットワーク上のＩＰ電話機から、同じＩＰネットワーク上のＩＰ電話機へ発呼する際は、通常の一般電話の電話番号７桁（市外局番を省略）に５桁の数字を加えた１２桁の番号をダイヤル入力することにより、呼を確立させることができる。
【００８３】
一方、図１０においては、図９におけるシーケンスを簡単化するための手順を示しており、ＩＰ電話機１２（１０８）のユーザーが予め相手先ＩＰ電話機１０（１０６）の電話番号及び自分の電話番号の上１０桁、つまりゲートウェイＣ（１０３）の電話番号部分が、同じ“０４４−ｃｃｃ−ｃｃｃｃ”であることを知っていて、この部分を省略してダイヤルする場合を示している。
【００８４】
つまり、ＩＰ電話機１２（１０８）はオンフックし、ダイヤル入力する時に“２２２２２”の後に（又は頭に続けて）、同じＩＰネットワーク上のＩＰ電話機への通話を意味する“＃”を入力（“２２２２２＃”又は“＃２２２２２”）する。
【００８５】
これによって、ＩＰ電話機１２（１０８）はゲートウェイＣ（１０３）に対して、同じＩＰネットワークＣ上の加入者ＩＤ番号“２２２２２”に対する通話要求を意味する通話開始要求パケットを送出する。
【００８６】
通話開始要求パケットを受けたゲートウェイＣ（１０３）は、直ちにゲートウェイＣ（１０３）からゲートウェイ・サーバＣ（１０４）に対する加入者ＩＰアドレス検索要求パケットの送出のシーケンスに入り、以降図９とともに上述した手順と同様に、前記ＩＰ電話機１２（１０８）と前記ＩＰ電話機１０（１０６）との通話を確立する。
【００８７】
以上のように、同じＩＰネットワーク上のＩＰ電話機へ発呼する際は、これを意味する“＃”などに５桁の数字を加えてダイヤル入力することにより、呼を確立させることができる。
【００８８】
図１１はＩＰネットワークＢ（１２２）上のＩＰアドレス“Ｂ７”、加入者ＩＤ番号“３３３３３”、つまり電話番号“０４３−ｂｂｂ−ｂｂｂｂｂ−３３３３３”のＩＰ電話機７（１２７）から、ＩＰネットワークＣ（１２９）上のＩＰアドレス“Ｃ９”、加入者ＩＤ番号“１１１１１”、つまり電話番号“０４４−ｃｃｃ−ｃｃｃｃ−１１１１”のＩＰ電話機９（１３２）への発呼を示した概念図である。
【００８９】
この場合のシーケンスを図１２に示す。図１２において、まずＩＰ電話機７（１２７）はオンフックし、相手先ＩＰ電話機９（１３２）の電話番号の内上１０桁、つまりゲートウェイＣの電話番号部分“０４４−ｃｃｃ−ｃｃｃｃ”を入力するが、この場合は、ＩＰ電話機７（１２７）の自電話番号が“０４３−ｂｂｂ−ｂｂｂｂ”であり、市外局番が違うことから、市外局番も入力する。
【００９０】
前記入力によって、ＩＰ電話機７（１２７）はゲートウェイＢ（１２３）に対して、“０４４−ｃｃｃ−ｃｃｃｃ”に対する通話を要求する意味の通信開始要求パケットを送出する。それを受けたゲートウェイＢ（１２３）は、それが自分の電話番号ではないことを判断し、ゲートウェイ・サーバＢ（１２４）に対して、該電話番号“０４４−ｃｃｃ−ｃｃｃｃ”がどのゲートウェイでそれに対応したゲートウェイ・サーバのＩＰアドレスが何かを問い合わせるためのゲートウェイ・サーバＩＰアドレス検索要求パケットを送出する。
【００９１】
ゲートウェイ・サーバＩＰアドレス検索要求パケットを受けたゲートウェイ・サーバＢ（１２４）は、該電話番号“０４４−ｃｃｃ−ｃｃｃｃ”に対応するＩＰアドレスを、自分のゲートウェイ・サーバＩＰアドレス管理テーブル内から検索し、それに対応するゲートウェイ・サーバのＩＰアドレスが“Ｃ”であることを入手する。
【００９２】
そして、直ちに前記問い合わせに対して、前記電話番号“０４４−ｃｃｃ−ｃｃｃｃ”のＩＰアドレスが“Ｃ”であることを意味するＩＰアドレス通知パケットにてゲートウェイＢ（１２３）に通知し、それを受けたゲートウェイＢ（１２３）は、直ちにＩＰ電話機７（１２７）に対して、通話が確立したことを意味する通話確立通知パケットを送出する。
【００９３】
この通話確立通知パケットをＩＰ電話機７（１２７）が受ければ、ゲートウェイＢ（１２３）とＩＰ電話機７（１２７）との間の通話が確立され、ゲートウェイＢ（１２３）はＩＰ電話機７（１２７）のユーザーに対して、自動音声ガイダンス等により、相手先ＩＰ電話機９（１３２）の電話番号の下５桁部分を入力するよう要求する。
【００９４】
それに従って、ＩＰ電話機７（１２７）のユーザーが“１１１１１”を入力すると、ＩＰ電話機７（１２７）は加入者ＩＤ番号“１１１１１”に対する通話を意味する加入者ＩＤ番号パケットを、前記ゲートウェイＢ（１２３）に送出する。
【００９５】
加入者ＩＤ番号パケットを受けたゲートウェイＢ（１２３）は、直ちに入手したＩＰアドレス“Ｃ”に基づき、ゲートウェイ・サーバＣ（１３１）に対して、“１１１１１”の加入者ＩＤ番号に対応するＩＰ電話機のＩＰアドレスが何かを問い合わせるための加入者ＩＰアドレス検索要求パケットを送出する。
【００９６】
加入者ＩＰアドレス検索要求パケットを受けたゲートウェイ・サーバＣ（１３１）は、加入者ＩＤ番号“１１１１１”に対応する加入者ＩＰアドレスを、自分の加入者ＩＰアドレス管理テーブル内から検索し、検索結果としてＩＰアドレス“Ｃ９”を得る。そして、直ちにゲートウェイＢ（１２３）に対して、その検索結果を報告する意味のＩＰアドレス通知パケットを送出する。
【００９７】
ＩＰアドレス通知パケットを受けたゲートウェイＢ（１２３）は、直ちに前記ＩＰ電話機７（１２７）に対して、通話先を現在の前記ゲートウェイＢ（１２３）から入手したＩＰアドレス“Ｃ９”の相手先ＩＰ電話機９（１３２）に切り替えるよう指示する意味の通話先切替要求パケットを送出する。
【００９８】
通話先切替要求パケットを受けたＩＰ電話機７（１２７）は、直ちにＩＰアドレス“Ｃ９”に基づき、相手先ＩＰ電話機９（１３２）に対して、通話要求を意味する通話開始要求パケットを送出する。それを受けたＩＰ電話機９（１３２）が応答すれば、ＩＰ電話機７（１２７）に対して、通話が確立されたことを意味する通話確立通知パケットを送出する。
【００９９】
ＩＰ電話機７（１２７）がその通話確立通知パケットを受ければ、直ちにＩＰ電話機９（１３２）とＩＰ電話機７（１２７）との通話が開始され、音声データパケットは、インタネットを介して、ＩＰネットワークＢ上のＩＰ電話機７（１２７）とＩＰネットワークＣ上のＩＰ電話機９（１３２）との間で直接やり取りされる。
【０１００】
以上のように、ＩＰネットワーク上のＩＰ電話機から、異なるＩＰネットワーク上のＩＰ電話機へ発呼する際は、通常の一般電話の電話番号１０桁（市外局番を含む）に５桁の数字を加えた１５桁の番号をダイヤル入力することにより、呼を確立させることができる。
【０１０１】
以上説明したように、本実施形態のインタネット電話システムによれば、インタネット上のＩＰ電話機は、通常の一般電話機の電話番号１０桁（市外局番含めた場合）に続けて５桁の数字を加えた番号、つまり１５桁程度の数字を自電話番号として識別される。
【０１０２】
従って、発呼側端末及び相手先端末が、一般電話網上の一般電話機、インタネット上の同一のＩＰネットワーク上のＩＰ電話機、他のＩＰネットワーク上のＩＰ電話機によらず、同様のダイヤル入力により発呼することが可能となる。
【０１０３】
すなわち、発呼側ユーザーにそれがＩＰ電話機であることを意識させることなく、ＩＰ電話機の通信コスト等のメリットを生かしたまま、今まで通りの一般電話機とほぼ同じように扱うことが可能となる。
【０１０４】
尚、本実施形態においては、１０桁に続く数字を５桁として説明したが、本発明はこれに限られるものでないことは明らかである。すなわち、１つのゲートウェイ・サーバが管理するＩＰ電話機の数を減らすことにより、さらに４桁（１ゲートウェイ当り１００００加入者）、３桁（１ゲートウェイ当り１０００加入者）と減らすことができ、それに従って、ＩＰ電話機の電話番号をより覚えやすい桁数にすることが可能になる。
【０１０５】
【発明の効果】
本発明によれば、ネットワークの構成に関わらず、すなわち、発呼側端末及び相手先端末が、一般電話網上の一般電話機、インタネット上の同一のＩＰネットワーク上のインタネット電話機、他のＩＰネットワーク上のインタネット電話機によらず、同じ番号体系で通話を確立することができ、通信コスト等のメリットを生かしたまま、今まで通りの一般電話機とほぼ同じように取り扱うことが可能となる。
【図面の簡単な説明】
【図１】本発明のインタネット電話システムの一実施形態における概略構成を示す説明図である。
【図２】本発明のインタネット電話システムの一実施形態における各ゲートウェイ・サーバの加入者ＩＰアドレス管理テーブルを示す説明図である。
【図３】本発明のインタネット電話システムの一実施形態における各ゲートウェイ・サーバのゲートウェイ・サーバＩＰアドレス管理テーブルを示す説明図である。
【図４】本発明のインタネット電話システムの一実施形態におけるＩＰ電話機から一般電話機への発呼を示す説明図である。
【図５】本発明のインタネット電話システムの一実施形態におけるＩＰ電話機から一般電話機への通話が確立するまでの手順を示す説明図である。
【図６】本発明のインタネット電話システムの一実施形態における一般電話機からＩＰ電話機への発呼を示す説明図である。
【図７】本発明のインタネット電話システムの一実施形態における一般電話機からＩＰ電話機への通話が確立するまでの手順を示す説明図である。
【図８】本発明のインタネット電話システムの一実施形態におけるＩＰ電話機から同じＩＰネットワーク上のＩＰ電話機への発呼を示す説明図である。
【図９】本発明のインタネット電話システムの一実施形態におけるＩＰ電話機から同じＩＰネットワーク上のＩＰ電話機への通話が確立するまでの手順を示す説明図である。
【図１０】本発明のインタネット電話システムの一実施形態におけるＩＰ電話機から同じＩＰネットワーク上のＩＰ電話機への通話が確立するまでの手順を示す説明図である。
【図１１】本発明のインタネット電話システムの一実施形態におけるＩＰ電話機から他のＩＰネットワーク上のＩＰ電話機への発呼を示す説明図である。
【図１２】本発明のインタネット電話システムの一実施形態におけるＩＰ電話機から他のＩＰネットワーク上のＩＰ電話機への通話が確立するまでの手順を示す説明図である。
【図１３】インタネット電話システムにおける各接続形態を示す説明図である。
【図１４】従来のインタネット電話システムにおけるＩＰ電話機から一般電話機への通話が確立するまでの手順を示す説明図である。
【図１５】従来のインタネット電話システムにおける一般電話機からＩＰ電話機への通話が確立するまでの手順を示す説明図である。
【図１６】従来のインタネット電話システムにおけるＩＰ電話機からＩＰ電話機への通話が確立するまでの手順を示す説明図である。
【符号の説明】
１，２８，８２，１０９  一般電話機１（電話番号：０１１−５５５−５５５５）
２，２９，８３，１１０  一般電話機２（電話番号：０２２−６６６−６６６６）
３，３０，８４，１１１  一般電話機３（電話番号：０８２−７７７−７７７７）
４，３１，８５，１１２  一般電話機４（電話番号：０７８−８８８−８８８８）
５，３２，８６，１１３  一般電話網
６，３３，８７，１１４  インタネット網
７，３４，８８，１１５  ＩＰネットワークＡ
８，３５，８９，１１６  ゲートウェイＡ（ＩＰアドレス：Ａ  電話番号：０４５−ａａａ−ａａａａ）
９，３６，９０，１１７  ゲートウェイ・サーバＡ（ＩＰアドレス：ＡＡ）
１０，３７，９１，１１８  ＩＰ電話機１（加入者ＩＤ番号：１１１１１  ＩＰアドレス：Ａ１）
１１，３８，９２，１１９  ＩＰ電話機２（加入者ＩＤ番号：２２２２２  ＩＰアドレス：Ａ２）
１２，３９，９３，１２０  ＩＰ電話機３（加入者ＩＤ番号：３３３３３  ＩＰアドレス：Ａ３）
１３，４０，９４，１２１  ＩＰ電話機４（加入者ＩＤ番号：４４４４４  ＩＰアドレス：Ａ４）
１４，４１，９５，１２２  ＩＰネットワークＢ
１５，４２，９６，１２３  ゲートウェイＢ（ＩＰアドレス：Ｂ  電話番号：０４３−ｂｂｂ−ｂｂｂｂ）
１６，４３，９７，１２４  ゲートウェイ・サーバＢ（ＩＰアドレス：ＢＢ）
１７，４４，９８，１２５  ＩＰ電話機５（加入者ＩＤ番号：１１１１１  ＩＰアドレス：Ｂ５）
１８，４５，９９，１２６  ＩＰ電話機６（加入者ＩＤ番号：２２２２２  ＩＰアドレス：Ｂ６）
１９，４６，１００，１２７  ＩＰ電話機７（加入者ＩＤ番号：３３３３３  ＩＰアドレス：Ｂ７）
２０，４７，１０１，１２８  ＩＰ電話機８（加入者ＩＤ番号：４４４４４  ＩＰアドレス：Ｂ８）
２１，４８，１０２，１２９  ＩＰネットワークＣ
２２，４９，１０３，１３０  ゲートウェイＣ（ＩＰアドレス：Ｃ  電話番号：０４４−ｃｃｃ−ｃｃｃｃ）
２３，５０，１０４，１３１  ゲートウェイ・サーバＣ（ＩＰアドレス：ＣＣ）
２４，５１，１０５，１３２  ＩＰ電話機９（加入者ＩＤ番号：１１１１１  ＩＰアドレス：Ｃ９）
２５，５２，１０６，１３３  ＩＰ電話機１０（加入者ＩＤ番号：２２２２２  ＩＰアドレス：Ｃ１０）
２６，５３，１０７，１３４  ＩＰ電話機１１（加入者ＩＤ番号：３３３３３  ＩＰアドレス：Ｃ１１）
２７，５４，１０８，１３５  ＩＰ電話機１２（加入者ＩＤ番号：４４４４４  ＩＰアドレス：Ｃ１２）
【図１】
0003585797.tif 000002
【図２】
0003585797.tif 000003
【図３】
0003585797.tif 000004
【図４】
0003585797.tif 000005
【図５】
0003585797.tif 000006
【図６】
0003585797.tif 000007
【図７】
0003585797.tif 000008
【図８】
0003585797.tif 000009
【図９】
0003585797.tif 000010
【図１０】
0003585797.tif 000011
【図１１】
0003585797.tif 000012
【図１２】
0003585797.tif 000013
【図１３】
0003585797.tif 000014
【図１４】
0003585797.tif 000015
【図１５】
0003585797.tif 000016
【図１６】
0003585797.tif 000017